(57)【要約】【課題】マルチプロジェクションシステムにおいて、視聴者の状態に応じて画像を表示すること。【解決手段】画像を表示する複数の画像表示装置に画像を表示させる画像表示制御装置であって、前記画像の表示面を含む所定の範囲における人物の検知結果を取得する人物検知結果取得部と、取得された前記検知結果に応じて前記画像表示装置に画像を表示させる画像表示制御部と、を備え、前記所定の範囲に人物が検知された場合、複数の前記画像表示装置のうちいずれかの画像表示装置に他の画像表示装置とは異なる画像を表示させると共に、前記他の画像表示装置が表示する画像が全体で一つの画像となるように前記他の画像表示装置に画像を表示させることを特徴とする。【選択図】図６
2016148776.tif 000002
【特許請求の範囲】
【請求項１】
画像を表示する複数の画像表示装置に画像を表示させる画像表示制御装置であって、
前記画像の表示面を含む所定の範囲における人物の検知結果を取得する人物検知結果取得部と、
取得された前記検知結果に応じて前記画像表示装置に画像を表示させる画像表示制御部と、
を備えることを特徴とする画像表示制御装置。
【請求項２】
前記画像表示制御部は、
前記所定の範囲に人物が検知されていない場合、複数の前記画像表示装置が表示する画像が全体で一つの画像となるように複数の前記画像表示装置に画像を表示させ、
前記所定の範囲に人物が検知された場合、複数の前記画像表示装置のうちいずれかの画像表示装置に他の画像表示装置とは異なる画像を表示させると共に、前記他の画像表示装置が表示する画像が全体で一つの画像となるように前記他の画像表示装置に画像を表示させることを特徴とする請求項１に記載の画像表示制御装置。
【請求項３】
前記画像表示制御部は、
前記所定の範囲に人物が検知された場合、複数の前記画像表示装置のうち検知された前記人物に最も近い位置に画像を表示することができる画像表示装置に他の画像表示装置とは異なる画像を表示させると共に、前記他の画像表示装置が表示する画像が全体で一つの画像となるように前記他の画像表示装置に画像を表示させることを特徴とする請求項２に記載の画像表示制御装置。
【請求項４】
前記画像表示制御部は、複数の前記画像表示装置のうち少なくともいずれかの画像表示装置に所定の位置へ移動するように促す画像を表示させることを特徴とする請求項１乃至３いずれか１項に記載の画像表示制御装置。
【請求項５】
前記所定の範囲において検知された人物と前記表示面との距離を取得する距離取得部を備え、
前記画像表示制御部は、
取得された前記距離が所定の距離よりも長い場合、複数の前記画像表示装置が表示する画像が全体で一つの画像となるように複数の前記画像表示装置に画像を表示させ、
取得された前記距離が所定の距離以下の場合、複数の前記画像表示装置のうちいずれかの画像表示装置に他の画像表示装置とは異なる画像を表示させると共に、前記他の画像表示装置が表示する画像が全体で一つの画像となるように前記他の画像表示装置に画像を表示させることを特徴とする請求項１乃至４いずれか１項に記載の画像表示制御装置。
【請求項６】
前記所定の範囲において検知された人物の人数を取得する人数取得部を備え、
前記画像表示制御部は、
取得された前記人数が所定の人数よりも少ない場合、複数の前記画像表示装置が表示する画像が全体で一つの画像となるように複数の前記画像表示装置に画像を表示させ、
取得された前記人数が所定の人数以上の場合、複数の前記画像表示装置が表示する画像が全体で一つの画像となるように、取得された前記人数が所定の人数よりも少ない場合に表示されていた画像に関連する画像を複数の前記画像表示装置に表示させることを特徴とする請求項１乃至５いずれか１項に記載の画像表示制御装置。
【請求項７】
前記所定の範囲において検知された人物の人数を取得する人数取得部を備え、
前記画像表示制御部は、
取得された前記人数が所定の人数よりも少ない場合、演出を加えた画像を複数の前記画像表示装置の少なくともいずれかに表示させることを特徴とする請求項１乃至６いずれか１項に記載の画像表示制御装置。
【請求項８】
前記所定の範囲において検知された人物の顔の向きの検知結果を取得する顔向検知結果取得部を備え、
前記画像表示制御部は、
検知された前記顔の向きが前記表示面に向いていない場合、演出を加えた画像を複数の前記画像表示装置のうち少なくともいずれかに表示させることを特徴とする請求項１乃至７いずれか１項に記載の画像表示制御装置。
【請求項９】
画像を表示する複数の画像表示装置と複数の前記画像表示装置に画像を表示させる画像表示制御装置とを備える画像表示システムであって、
前記画像表示装置は、
前記画像の表示面を含む所定の範囲から人物を検知する人物検知部を備え、
前記画像表示制御装置は、
前記所定の範囲における人物の検知結果を前記画像表示装置から取得する人物検知結果取得部と、
取得された前記検知結果に応じて前記画像表示装置に画像を表示させる画像表示制御部と、
を備えることを特徴とする画像表示システム。
【請求項１０】
画像を表示する複数の画像表示装置に画像を表示させる画像表示制御プログラムであって、
前記画像の表示面を含む所定の範囲における人物の検知結果を取得するステップと、
取得された前記検知結果に応じて前記画像表示装置に画像を表示させるステップと、
を実行することを特徴とする画像表示制御プログラム。
【発明の詳細な説明】
【技術分野】
【０００１】
本発明は、画像表示制御装置、画像表示システム、画像表示制御プログラムに関する。
【背景技術】
【０００２】
近年、プロジェクタや平面ディスプレイなどの表示装置を複数並べて疑似的に一つの大画面を映し出し、その大画面において画像を表示するマルチプロジェクションシステムが知られている（例えば、特許文献１を参照）。このようなマルチプロジェクションシステムは、大画面の利点を活かして、多数の視聴者に向けて広告やメッセージなどの情報を発信することができる。
【発明の概要】
【発明が解決しようとする課題】
【０００３】
ところが、従来のマルチプロジェクションシステムは、視聴者の人数や、視聴者の顔の向き、画面と視聴者との距離など、視聴者の状態に関係なく一辺倒な画像を表示するだけであるといった問題がある
【０００４】
本発明は、このような課題を解決するためになされたものであり、マルチプロジェクションシステムにおいて、視聴者の状態に応じて画像を表示することを目的とする。
【課題を解決するための手段】
【０００５】
上記課題を解決するために、本発明の一態様は、画像を表示する複数の画像表示装置に画像を表示させる画像表示制御装置であって、前記画像の表示面を含む所定の範囲における人物の検知結果を取得する人物検知結果取得部と、取得された前記検知結果に応じて前記画像表示装置に画像を表示させる画像表示制御部と、を備えることを特徴とする。
【発明の効果】
【０００６】
本発明によれば、マルチプロジェクションシステムにおいて、視聴者の状態に応じて画像を表示することができる。
【図面の簡単な説明】
【０００７】
【図１】本発明の実施形態に係るマルチプロジェクションシステムの運用形態を示す図である。
【図２】本発明の実施形態に係るマルチプロジェクションシステムにけるプロジェクタ１による投影面への投影画像の表示例を示す図である。
【図３】本発明の実施形態に係るマルチプロジェクションシステムにけるプロジェクタ１による投影面への投影画像の表示例を示す図である。
【図４】本発明の実施形態に係るプロジェクタのハードウェア構成を模式的に示すブロック図である。
【図５】本発明の実施形態に係るシステム管理サーバのハードウェア構成を模式的に示すブロック図である。
【図６】本発明の実施形態に係るプロジェクタ及びシステム管理サーバの機能構成を模式的に示すブロック図である。
【図７】本発明の実施形態に係るマルチプロジェクションシステムによる投影面への投影画像の表示例を示す図である。
【図８】本発明の実施形態に係るマルチプロジェクションシステムが投影面に投影画像を表示する際の処理を説明するためのシーケンス図である。
【図９】本発明の実施形態に係るマルチプロジェクションシステムによる投影面への投影画像の表示例を示す図である。
【図１０】本発明の実施形態に係るマルチプロジェクションシステムが投影面に投影画像を表示する際の処理を説明するためのシーケンス図である。
【図１１】本発明の実施形態に係るプロジェクタ及びシステム管理サーバの機能構成を模式的に示すブロック図である。
【図１２】本発明の実施形態に係るマルチプロジェクションシステムによる投影面への投影画像の表示例を示す図である。
【図１３】本発明の実施形態に係るマルチプロジェクションシステムが投影面に投影画像を表示する際の処理を説明するためのフローチャートである。
【図１４】本発明の実施形態に係るマルチプロジェクションシステムにおける距離設定値変更画面の表示例を示す図である。
【図１５】本発明の実施形態に係るマルチプロジェクションシステムによる投影面への投影画像の表示例を示す図である。
【図１６】本発明の実施形態に係るマルチプロジェクションシステムが投影面に投影画像を表示する際の処理を説明するためのフローチャートである。
【図１７】本発明の実施形態に係るマルチプロジェクションシステムにおける人数設定値変更画面の表示例を示す図である。
【図１８】本発明の実施形態に係るマルチプロジェクションシステムによる投影面への投影画像の表示例を示す図である。
【図１９】本発明の実施形態に係るマルチプロジェクションシステムによる投影面への投影画像の表示例を示す図である。
【図２０】本発明の実施形態に係るマルチプロジェクションシステムが投影面に投影画像を表示する際の処理を説明するためのフローチャートである。
【図２１】本発明の実施形態に係るマルチプロジェクションシステムによる投影面への投影画像の表示例を示す図である。
【図２２】本発明の実施形態に係るマルチプロジェクションシステムによる投影面への投影画像の表示例を示す図である。
【図２３】本発明の実施形態に係るマルチプロジェクションシステムが投影面に投影画像を表示する際の処理を説明するためのフローチャートである。
【発明を実施するための形態】
【０００８】
実施の形態１．
以下、図面を参照して、本発明の実施形態を詳細に説明する。本実施形態においては、画像表示システムの例として、プロジェクタや平面ディスプレイなどの画像表示装置を複数並べて疑似的に一つの大画面を映し出し、その大画面において画像を表示するマルチプロジェクションシステムについて説明する。尚、本実施形態に係るマルチプロジェクションシステムにおいては、画像表示装置がプロジェクタである例について説明する。
【０００９】
まず、本実施形態に係るマルチプロジェクションシステムの運用形態について、図１、図２を参照して説明する。図１は、本実施形態に係るマルチプロジェクションシステムの運用形態を示す図である。図２は、本実施形態に係るマルチプロジェクションシステムにけるプロジェクタ１による投影面６への投影画像の表示例を示す図である。
【００１０】
図１に示すように、本実施形態に係るマルチプロジェクションシステムは、プロジェクタ１ａ、１ｂ、１ｃが接続されたネットワーク３と、システム管理サーバ２が接続されたネットワーク４とが、インターネットや電話回線等の公衆回線５を介して接続されて構成されている。以下では、プロジェクタ１ａ、１ｂ、１ｃをそれぞれ区別する必要がない場合には、それらを総称してプロジェクタ１とする。
【００１１】
尚、ネットワーク３に接続されているプロジェクタ１の数は一例であり、これらがもっと多く接続された大規模なシステムであっても良い。また、それぞれ異なるプロジェクタ１が接続された複数のネットワークが公衆回線５を介してシステム管理サーバ２と接続される構成としても良いし、プロジェクタ１とシステム管理サーバ２とが同一のネットワーク上に接続されて構成されていても良い。
【００１２】
また、図１におけるネットワーク３、４は、例えば、オフィスＬＡＮ（Ｌｏｃａｌ  Ａｒｅａ  Ｎｅｔｗｏｒｋ）などの限定されたネットワークであり、プロジェクタ１とシステム管理サーバ２とは、夫々のＬＡＮを介して公衆回線５に接続されるが、公衆回線５に直接接続される態様とすることも可能である。
【００１３】
また、図１におけるネットワーク３、４、公衆回線５は、例えば、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースを利用したネットワークにより実現されても良い。
【００１４】
プロジェクタ１は、入力された映像信号（以下、「投影データ」とする）に応じて、光源から射出される光束を変調して光学像（以下、「投影画像」とする）を形成し、形成した投影画像を壁やスクリーンなどの投影面６（表示面）上に拡大して投影表示する。また、プロジェクタ１は、入力された音声信号（以下、「音声データ」とする）に応じて音声を出力する。以下では、投影データと音声データとをまとめて「出力データ」と総称する。
【００１５】
また、本実施形態に係るマルチプロジェクションシステムにおいて、プロジェクタ１ａ、１ｂ、１ｃは、システム管理サーバ２による制御のもと、図２、図３に示すように、それら３台で疑似的に一つの大画面を映し出し、その大画面において映像を表示することができるように構成されている。従って、本実施形態に係るマルチプロジェクションシステムは、多数の視聴者に向けて広告やメッセージなどの情報を発信することができる。
【００１６】
また、本実施形態に係るマルチプロジェクションシステムにおいて、プロジェクタ１ａ、１ｂ、１ｃは、システム管理サーバ２による制御のもと、図２、図３に示すように、投影画像を切り替えたり、静止画だけではなく動画を表示したりすることにより多種多様な情報を発信することができる。
【００１７】
システム管理サーバ２は、本実施形態に係るマルチプロジェクションシステムを管理する管理サーバである。また、システム管理サーバ２は、プロジェクタ１ａ、１ｂ、１ｃにそれぞれ投影表示させるべき投影画像に応じた投影データ、及び、出力させるべき音声に応じた音声データを作成して各プロジェクタ１に送信すると共に、投影画像の表示タイミング、及び、音声の出力タイミングを指示する。即ち、本実施形態においては、システム管理サーバ２が画像表示制御装置として機能する。
【００１８】
次に、本実施形態に係るプロジェクタ１のハードウェア構成について、図４を参照して説明する。図４は、本実施形態に係るプロジェクタ１のハードウェア構成を模式的に示すブロック図である。
【００１９】
図４に示すように、本実施形態に係るプロジェクタ１は、ＣＰＵ（Ｃｅｎｔｒａｌ  Ｐｒｏｃｅｓｓｉｎｇ  Ｕｎｉｔ）１１０、ＲＡＭ（Ｒａｎｄｏｍ  Ａｃｃｅｓｓ  Ｍｅｍｏｒｙ）１２０、ＲＯＭ（Ｒｅａｄ  Ｏｎｌｙ  Ｍｅｍｏｒｙ）１３０、ＨＤＤ（Ｈａｒｄ  Ｄｉｓｋ  Ｄｒｉｖｅ）１４０、操作表示装置１５０、通信Ｉ／Ｆ１６０、出力装置１７０、入力装置１８０がバス１９０を介して接続されて構成されている。
【００２０】
ＣＰＵ１１０は演算手段であり、プロジェクタ１全体の動作を制御する。ＲＡＭ１２０は、情報の高速な読み書きが可能な揮発性の記憶媒体であり、ＣＰＵ１１０が情報を処理する際の作業領域として用いられる。ＲＯＭ１３０は、読み出し専用の不揮発性記憶媒体であり、ファームウェア等のプログラムが格納されている。
【００２１】
ＨＤＤ１４０は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００２２】
操作表示装置１５０は、プロジェクタ１に情報を入力するためのユーザインタフェースであり、キーボードやマウス、ボタン、タッチパネルなどの入力装置によって実現される。また、操作表示装置１５０は、ユーザがプロジェクタ１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置によって実現される。
【００２３】
通信Ｉ／Ｆ１６０は、プロジェクタ１が他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＶＧＡ、ＤＶＩ、ＩＥＥＥ規格などのインタフェースが用いられる。
【００２４】
出力装置１７０はさらに画像投影装置１７１、音声出力装置１７２を備える。画像投影装置１７１は、光源から射出される光束を変調して投影画像を形成し、形成した投影画像を壁やスクリーンなどの投影面６上に拡大して投影表示する。音声出力装置１７２は、音声を出力する。
【００２５】
入力装置１８０は、プロジェクタ１が人物を検知し、検知した人物の属性、例えば、位置、距離、顔の向き、人数などを測定・計測するための信号を入力するハードウェアであり、カメラなどの撮像装置やセンサなどの測定装置・計測装置によって実現される。
【００２６】
このようなハードウェア構成において、ＲＯＭ１３０やＨＤＤ１４０若しくは光学ディスクなどの記憶媒体に格納されたプログラムがＲＡＭ１２０に読み出され、ＣＰＵ１１０がＲＡＭ１２０に読み出されたプログラムに従って演算を行うことにより、ソフトウェア制御部が構成される。このようにして構成されたソフトウェア制御部と、ハードウェアとの組み合わせによって、本実施形態に係るプロジェクタ１の機能を実現する機能ブロックが構成される。
【００２７】
次に、本実施形態に係るシステム管理サーバ２のハードウェア構成について、図５を参照して説明する。図５は、本実施形態に係るシステム管理サーバ２のハードウェア構成を模式的に示すブロック図である。
【００２８】
図５に示すように、本実施形態に係るシステム管理サーバ２は、ＣＰＵ２１０、ＲＡＭ２２０、ＲＯＭ２３０、ＨＤＤ２４０、操作表示装置２５０、通信Ｉ／Ｆ２６０がバス２７０を介して接続されて構成されている。
【００２９】
ＨＤＤ２４０は、情報の読み書きが可能な不揮発性の記憶媒体であり、画像データ等の各種データや、ＯＳ、画像表示制御プログラムなどの各種制御プログラム、アプリケーション・プログラム等の各種プログラムを格納する。
【００３０】
尚、ＣＰＵ２１０、ＲＡＭ２２０、ＲＯＭ２３０、ＨＤＤ２４０、操作表示装置２５０、通信Ｉ／Ｆ２６０はそれぞれ、ＣＰＵ１１０、ＲＡＭ１２０、ＲＯＭ１３０、ＨＤＤ１４０、操作表示装置１５０、通信Ｉ／Ｆ１６０と同様であるため、詳細な説明については省略する。
【００３１】
次に、本実施形態に係るプロジェクタ１、システム管理サーバ２の機能構成について、図６を参照して説明する。図６は、本実施形態に係るプロジェクタ１及びシステム管理サーバ２の機能構成を模式的に示すブロック図である。
【００３２】
図６に示すように、本実施形態に係るプロジェクタ１は、プロジェクタ受信部１０１、出力部１０２、人物検知部１０３、プロジェクタ送信部１０４を備える。また、図６に示すように、本実施形態に係るシステム管理サーバ２は、出力データ記憶部２０１、サーバ受信部２０２、出力データ判断部２０３、出力データ作成部２０４、サーバ送信部２０５を備える。
【００３３】
プロジェクタ受信部１０１は、システム管理サーバ２からネットワークを介して送信されてきた出力データを受信し、プロジェクタ１で処理することができるデータに変換し、変換後の出力データを出力部１０２に入力する。
【００３４】
出力部１０２は、プロジェクタ受信部１０１から入力された出力データに応じた投影画像及び音声を出力する。
【００３５】
人物検知部１０３は、プロジェクタ１の投影面６前にいる人物、即ち、投影面６を含む所定の範囲から人物を検知し、検知した人物の顔の向きを検知すると共に、検知した人物と投影面６までの距離、投影面６に対する位置を測定し、それらに基づいて人物属性情報を作成する。そして、人物検知部１０３は、作成した人物属性情報をプロジェクタ送信部１０４に入力する。
【００３６】
ここで、人物属性情報とは、人物検知部１０３により検知された人物の顔の向き、検知した人物と投影面６までの距離、投影面６に対する位置、検知した人物の人数、人物を検知したプロジェクタ１の識別情報を含む情報のことである。
【００３７】
プロジェクタ送信部１０４は、人物検知部１０３から入力された人物属性情報をネットワーク上でやり取りできるデータに変換し、変換後の人物属性情報をネットワークを介してシステム管理サーバ２に送信する。
【００３８】
出力データ記憶部２０１は、出力データを記憶する。サーバ受信部２０２は、プロジェクタ１からネットワークを介して送信されてきた人物属性情報をシステム管理サーバ２で処理することができるデータに変換し、変換後の人物属性情報を出力データ判断部２０３に入力する。即ち、本実施形態においては、サーバ受信部２０２が人物検知結果取得部、距離取得部、人数取得部、顔向検知結果取得部として機能する。
【００３９】
出力データ判断部２０３は、サーバ受信部２０２から入力された人物属性情報をもとに、どのプロジェクタ１にどのような投影画像及び音声を出力させるべきかを示す出力態様を決定し、決定内容を出力データ作成部２０４に通知する。即ち、本実施形態においては、出力データ判断部２０３が画像表示制御部として機能する。
【００４０】
出力データ作成部２０４は、出力データ判断部２０３から通知された出力態様に従って、出力データ記憶部２０１に記憶されている出力データをもとに、プロジェクタ１ａ、１ｂ、１ｃにそれぞれ出力させるべき投影画像及び音声に応じた出力データを作成する。尚、このとき作成された出力データには、プロジェクタ１ａ、１ｂ、１ｃにそれぞれ投影画像及び音声を出力させるべきタイミングが記述された情報が含まれている。
【００４１】
そして、出力データ作成部２０４は、作成した出力データとその出力データの送信先となる各プロジェクタ１の識別情報とを対応付けてサーバ送信部２０５に入力する。
【００４２】
サーバ送信部２０５は、出力データ作成部２０４から入力された出力データをネットワーク上でやり取りできるデータに変換し、その出力データに対応付けられている識別情報に従って、変換後の出力データをネットワークを介して各プロジェクタ１に送信する。
【００４３】
次に、本実施形態に係るマルチプロジェクションシステムによる投影面６への投影画像の表示態様について、図７（ａ）、（ｂ）を参照して説明する。図７（ａ）、（ｂ）は、本実施形態に係るマルチプロジェクションシステムによる投影面６への投影画像の表示例を示す図である。
【００４４】
図７（ａ）に示すように、本実施形態に係るマルチプロジェクションシステムは、投影面６前に人物を検知していない状態においては、プロジェクタ１ａ、１ｂ、１ｃを連動させて投影画像を表示することで、それら３台で疑似的に一つの大画面を映し出す。このとき表示される投影画像は、多数の視聴者に向けて情報を発信するための投影画像（以下、「大衆向け画像」とする）である。
【００４５】
そして、図７（ｂ）に示すように、本実施形態に係るマルチプロジェクションシステムは、投影面６前に人物を検知すると、検知した人物に最も近いプロジェクタ１ｃによりその人物に向けて個別に投影画像を表示する。
【００４６】
このとき表示される投影画像は、人物が検知されたときに表示されていた投影画像であって、個々の視聴者に向けて、即ち、検知された人物に向けて情報を発信するための投影画像（以下、「個人向け画像」とする）である。このように、人物が検知されたときに表示されていた投影画像を個人向け画像として表示するのは、その人物がその投影画像に興味を示していると推測されるためである。
【００４７】
尚、このとき、図７（ｂ）に示すように、本実施形態に係るマルチプロジェクションシステムは、他のプロジェクタ１ａ、１ｂを連動させて投影画像を表示することで、それら２台で疑似的に一つの大画面を映し出し、そこに引き続き大衆向け画像を表示する。
【００４８】
このように、本実施形態に係るマルチプロジェクションシステムは、投影面６前に人物を検知していない状態においては大衆向け画像のみを表示するように構成されている。一方で、本実施形態に係るマルチプロジェクションシステムは、投影面６前に人物を検知すると、検知した人物に最も近いプロジェクタによりその人物に向けて個人向け画像を表示すると共に、残りのプロジェクタにより引き続き大衆向け画像を表示するように構成されている。
【００４９】
従って、本実施形態に係るマルチプロジェクションシステムは、多数の視聴者と個々の視聴者との両方に向けて同時に情報を発信することが可能となる。これにより、本実施形態に係るマルチプロジェクションシステムは、個々の視聴者にはその視聴者が望む個人向け画像を引き続き視聴させることが可能であると共に、多数の視聴者にも大衆向け画像を引き続き視聴させることが可能である。その結果、本実施形態に係るマルチプロジェクションシステムは、視聴者の状態に応じて画像を表示することで、多種多様な方法で情報を発信することが可能となる。
【００５０】
次に、本実施形態に係るマルチプロジェクションシステムが投影面６に投影画像を表示する際の処理について、図８を参照して説明する。図８は、本実施形態に係るマルチプロジェクションシステムが投影面６に投影画像を表示する際の処理を説明するためのシーケンス図である。
【００５１】
図８に示すように、本実施形態に係るマルチプロジェクションシステムは、投影面６に投影画像を表示する際にはまず、システム管理サーバ２において、出力データ判断部２０３は、出力態様を決定する（Ｓ８０１）。このとき、出力データ判断部２０３は、プロジェクタ１ａ、１ｂ、１ｃを連動させて疑似的に一つの大画面を映し出させることで大衆向け画像を表示させるように出力態様を決定する。
【００５２】
システム管理サーバ２において、出力データ作成部２０４は、出力データ記憶部２０１に記憶されている出力データをもとに、出力データ判断部２０３により決定された出力態様に従って出力データを作成する（Ｓ８０２）。
【００５３】
システム管理サーバ２において、サーバ送信部２０５は、出力データ作成部２０４により作成された出力データをネットワークを介して各プロジェクタ１に送信する（Ｓ８０３）。
【００５４】
プロジェクタ１ａ、１ｂ、１ｃにおいて、各出力部１０２はそれぞれ、各プロジェクタ受信部１０１がシステム管理サーバ２から出力データを受信すると、その出力データに従って大衆向け画像を投影面６に投影表示すると共に音声を出力する（Ｓ８０４〜Ｓ８０６）。
【００５５】
このとき、プロジェクタ１ｃにおいて、人物検知部１０３は、投影面６前に人物を検知すると（Ｓ８０７）、検知した人物の人物属性情報を作成する（Ｓ８０８）。そして、プロジェクタ１ｃにおいて、プロジェクタ送信部１０４は、人物検知部１０３により作成された人物属性情報をネットワークを介してシステム管理サーバ２に送信する（Ｓ８０９）。
【００５６】
システム管理サーバ２において、出力データ判断部２０３は、サーバ受信部２０２がプロジェクタ１ｃから人物属性情報を受信すると、受信した人物属性情報に従って出力態様を決定する（Ｓ８１０）。このとき、出力データ判断部２０３は、プロジェクタ１ａ、１ｂを連動させて疑似的に一つの大画面を映し出させることで大衆向け画像を表示させると共に、プロジェクタ１ｃに個人向け画像を表示させるように出力態様を決定する。
【００５７】
システム管理サーバ２において、出力データ作成部２０４は、出力データ記憶部２０１に記憶されている出力データをもとに、出力データ判断部２０３により決定された出力態様に従って出力データを作成する（Ｓ８１１）。
【００５８】
そして、システム管理サーバ２において、サーバ送信部２０５は、出力データ作成部２０４により作成された出力データをネットワークを介して各プロジェクタ１に送信する（Ｓ８１２）。
【００５９】
プロジェクタ１ａ、１ｂにおいて、各出力部１０２はそれぞれ、各プロジェクタ受信部１０１がシステム管理サーバ２から出力データを受信すると、その出力データに従って大衆向け画像を投影面６に投影表示すると共に音声を出力する（Ｓ８１３、Ｓ８１４）。また、プロジェクタ１ｃにおいて、出力部１０２は、プロジェクタ受信部１０１がシステム管理サーバ２から出力データを受信すると、その出力データに従って個人向け画像を投影面６に投影表示すると共に音声を出力する（Ｓ８１５）。
【００６０】
以上、説明したように、本実施形態に係るマルチプロジェクションシステムは、投影面６前に人物を検知していない状態においては大衆向け画像のみを表示するように構成されている。一方で、本実施形態に係るマルチプロジェクションシステムは、投影面６前に人物を検知すると、検知した人物に最も近いプロジェクタによりその人物に向けて個人向け画像を表示すると共に、残りのプロジェクタにより引き続き大衆向け画像を表示するように構成されている。
【００６１】
従って、本実施形態に係るマルチプロジェクションシステムは、多数の視聴者と個々の視聴者との両方に向けて同時に情報を発信することが可能となる。これにより、本実施形態に係るマルチプロジェクションシステムは、個々の視聴者にはその視聴者が望む個人向け画像を引き続き視聴させることが可能であると共に、多数の視聴者にも大衆向け画像を引き続き視聴させることが可能である。その結果、本実施形態に係るマルチプロジェクションシステムは、視聴者の状態に応じて画像を表示することで、多種多様な方法で情報を発信することが可能となる。
【００６２】
尚、本実施形態においては、プロジェクタ１ａ、１ｂ、１ｃとシステム管理サーバ２とから構成されるマルチプロジェクションシステムについて説明したが、システム管理サーバ２が備える機能をプロジェクタ１ａ、１ｂ、１ｃのいずれかが備えるように構成されても良い。
【００６３】
実施の形態２．
実施の形態１においては、投影面６前に人物を検知すると、検知した人物に最も近いプロジェクタによりその人物に向けて個人向け画像を表示すると共に、残りのプロジェクタにより引き続き大衆向け画像を表示するように構成されているマルチプロジェクションシステムについて説明した。
【００６４】
実施の形態１に係るマルチプロジェクションシステムは、このように構成されることで、個々の視聴者にはその視聴者が望む個人向け画像を引き続き視聴させることが可能であると共に、多数の視聴者にも大衆向け画像を引き続き視聴させることが可能である。
【００６５】
本実施形態においては、投影画像の中央付近や、あるプロジェクタが表示している投影画像と他のプロジェクタが表示している投影画像との境界付近に人物を検知すると、その人物に投影面６の脇へ移動を促す画面を投影画像に表示するように構成されているマルチプロジェクションシステムについて説明する。
【００６６】
本実施形態に係るマルチプロジェクションシステムは、このように構成されることで、投影面６前にいる人物が視聴しやすいように個人向け画像を表示することが可能となると共に、残りのプロジェクタにより引き続き大衆向け画像を表示することが可能となる。
【００６７】
以下、図面を参照して、本発明の実施形態を詳細に説明する。尚、実施の形態１と同様の符号を付す構成については、同一または相当部を示すものとし、詳細な説明を省略する。
【００６８】
まず、本実施形態に係るマルチプロジェクションシステムによる投影面６への投影画像の表示態様について、図９（ａ）〜（ｃ）を参照して説明する。図９（ａ）〜（ｃ）は、本実施形態に係るマルチプロジェクションシステムによる投影面６への投影画像の表示例を示す図である。
【００６９】
図９（ａ）に示すように、本実施形態に係るマルチプロジェクションシステムは、投影面６前に人物を検知していない状態においては、プロジェクタ１ａ、１ｂ、１ｃを連動させて投影画像を表示することで、それら３台で疑似的に一つの大画面を映し出す。このとき表示される投影画像は大衆向け画像である。
【００７０】
そして、図９（ｂ）に示すように、本実施形態に係るマルチプロジェクションシステムは、投影面６前の中央付近、若しくは、プロジェクタ１ａが表示している投影画像とプロジェクタ１ｂが表示している投影画像との境界付近に人物を検知すると、その人物に投影面６の脇に移動を促す画面を投影画像に表示する。
【００７１】
このとき、本実施形態に係るマルチプロジェクションシステムは、検知した人物に近い方の脇に移動を促す画面を投影画像に表示するが、検知した人物が投影面６の中央にいる場合、どちららの脇に移動を促しても良い。
【００７２】
その後、図９（ｃ）に示すように、本実施形態に係るマルチプロジェクションシステムは、検知した人物が投影面６の脇へ移動すると、移動した先のプロジェクタ１ａによりその人物に向けて個別に投影画像を表示する。このとき表示される投影画像は個人向け画像である。
【００７３】
尚、このとき、図９（ｃ）に示すように、本実施形態に係るマルチプロジェクションシステムは、他のプロジェクタ１ｂ、１ｃを連動させて投影画像を表示することで、それら２台で疑似的に一つの大画面を映し出し、そこに引き続き大衆向け画像を表示する。
【００７４】
次に、本実施形態に係るマルチプロジェクションシステムが投影面６に投影画像を表示する際の処理について、図１０を参照して説明する。図１０は、本実施形態に係るマルチプロジェクションシステムが投影面６に投影画像を表示する際の処理を説明するためのシーケンス図である。
【００７５】
尚、図１０においては、プロジェクタ１が投影面６前に人物を検知し、人物属性情報をシステム管理サーバ２に送信するまでの処理、即ち、図８におけるＳ８０１〜Ｓ８０９に相当する処理については省略して説明する。
【００７６】
図１０に示すように、本実施形態に係るマルチプロジェクションシステムは、投影面６に投影画像を表示する際にはまず、システム管理サーバ２において、出力データ判断部２０３は、サーバ受信部２０２がプロジェクタ１ｂから人物属性情報を受信すると、受信した人物属性情報に基づいて、検知した人物の投影面６に対する位置を特定する（Ｓ１００１）。
【００７７】
システム管理サーバ２において、出力データ作成部２０４は、出力データ判断部２０３により特定された位置に基づいて出力データに投影面６の脇へ移動を促す画像を合成する（Ｓ１００２）。尚、このときの出力データは、プロジェクタ１ａ、１ｂ、１ｃを連動させて疑似的に一つの大画面を映し出させることで大衆向け画像を表示させるための出力データである。
【００７８】
以下では、投影面６の脇へ移動を促す画像が合成された後の出力データを「合成データ」とし、投影面６の脇へ移動を促す画像が合成された大衆向け画像を「合成画像」とする。
【００７９】
そして、システム管理サーバ２において、サーバ送信部２０５は、出力データ作成部２０４により作成された合成データをネットワークを介して各プロジェクタ１に送信する（Ｓ１００３）。
【００８０】
プロジェクタ１ａ、１ｂ、１ｃにおいて、各出力部１０２はそれぞれ、各プロジェクタ受信部１０１がシステム管理サーバ２から合成データを受信すると、その合成データに従って合成画像を投影面６に投影表示すると共に音声を出力する（Ｓ１００４〜Ｓ１００６）。
【００８１】
その後、人物検知部１０３は、投影面６の脇へ移動した後の人物を検知すると（Ｓ１００７）、検知した人物の人物属性情報を作成する（Ｓ１００８）。そして、プロジェクタ１ａにおいて、プロジェクタ送信部１０４は、人物検知部１０３により作成された人物属性情報をネットワークを介してシステム管理サーバ２に送信する（Ｓ１００９）。
【００８２】
システム管理サーバ２において、出力データ判断部２０３は、サーバ受信部２０２がプロジェクタ１ａから人物属性情報を受信すると、受信した人物属性情報に従って出力態様を決定する（Ｓ１０１０）。このとき、出力データ判断部２０３は、プロジェクタ１ｂ、１ｃを連動させて疑似的に一つの大画面を映し出させることで大衆向け画像を表示させると共に、プロジェクタ１ａに個人向け画像を表示させるように出力態様を決定する。
【００８３】
システム管理サーバ２において、出力データ作成部２０４は、出力データ記憶部２０１に記憶されている出力データをもとに、出力データ判断部２０３により決定された出力態様に従って出力データを作成する（Ｓ１０１１）。
【００８４】
そして、システム管理サーバ２において、サーバ送信部２０５は、出力データ作成部２０４により作成された出力データをネットワークを介して各プロジェクタ１に送信する（Ｓ８１２）。
【００８５】
プロジェクタ１ａにおいて、出力部１０２は、プロジェクタ受信部１０１がシステム管理サーバ２から出力データを受信すると、その出力データに従って個人向け画像を投影面６に投影表示すると共に音声を出力する（Ｓ１０１３）。また、プロジェクタ１ｂ、１ｃにおいて、各出力部１０２はそれぞれ、各プロジェクタ受信部１０１がシステム管理サーバ２から出力データを受信すると、その出力データに従って大衆向け画像を投影面６に投影表示すると共に音声を出力する（Ｓ１０１４、Ｓ１０１５）。
【００８６】
以上、説明したように、本実施形態に係るマルチプロジェクションシステムは、投影画像の中央付近や、あるプロジェクタが表示している投影画像と他のプロジェクタが表示している投影画像との境界付近に人物を検知すると、その人物に投影面６の脇へ移動を促す画面を投影画像に表示するように構成されている。
【００８７】
本実施形態に係るマルチプロジェクションシステムは、このように構成されることで、投影面６前にいる人物が視聴しやすいように個人向け画像を表示することが可能となると共に、残りのプロジェクタにより引き続き大衆向け画像を表示することが可能となる。
【００８８】
従って、本実施形態に係るマルチプロジェクションシステムは、多数の視聴者と個々の視聴者との両方に向けて同時に情報を発信することが可能となる。これにより、本実施形態に係るマルチプロジェクションシステムは、個々の視聴者にはその視聴者が望む個人向け画像を引き続き視聴させることが可能であると共に、多数の視聴者にも大衆向け画像を引き続き視聴させることが可能である。その結果、本実施形態に係るマルチプロジェクションシステムは、視聴者の状態に応じて画像を表示することで、多種多様な方法で情報を発信することが可能となる。
【００８９】
実施の形態３．
実施の形態１、実施の形態２においては、投影面６前に人物を検知すると、投影面６前にいる人物に向けて個人向け画像を表示すると共に、残りのプロジェクタにより引き続き大衆向け画像を表示するように構成されているマルチプロジェクションシステムについて説明した。
【００９０】
実施の形態１、実施の形態２に係るマルチプロジェクションシステムは、このように構成されることで、個々の視聴者にはその視聴者が望む個人向け画像を引き続き視聴させることが可能であると共に、多数の視聴者にも大衆向け画像を引き続き視聴させることが可能である。
【００９１】
本実施形態に係るマルチプロジェクションシステムは、投影面６前に人物を検知した場合であっても、検知した人物と投影面６との距離が所定の距離を超えている場合、大衆向け画像のみを表示するように構成されている。一方で、本実施形態に係るマルチプロジェクションシステムは、検知した人物と投影面６との距離が所定の距離以下である場合、検知した人物に向けて個人向け画像を表示すると共に、残りのプロジェクタにより引き続き大衆向け画像を表示するように構成されている。
【００９２】
本実施形態に係るマルチプロジェクションシステムは、このように構成されることで、個々の視聴者への広告効果と多数の視聴者への広告効果とを両立させることが可能となる。
【００９３】
尚、本実施形態に係るマルチプロジェクションシステムは、上記所定の距離が短く設定された場合、全てのプロジェクタ１による大画面で大衆向け画像を表示する時間が長くなるため、多数の視聴者への広告効果を高くすることが可能である。一方、本実施形態に係るマルチプロジェクションシステムは、上記所定の距離が長く設定された場合、個人向け画像を表示する時間が長くなるため、個々の視聴者への広告効果を高くすることができる。
【００９４】
そこで、本実施形態に係るマルチプロジェクションシステムは、個々の視聴者への広告効果と多数の視聴者への広告効果とのどちらを重視するかに応じて、上記所定の距離を設定することができるように構成されている。従って、本実施形態に係るマルチプロジェクションシステムは、個々の視聴者への広告効果と多数の視聴者への広告効果とのバランスを自由に決定することができる。
【００９５】
以下、図面を参照して、本発明の実施形態を詳細に説明する。尚、実施の形態１、実施の形態２と同様の符号を付す構成については、同一または相当部を示すものとし、詳細な説明を省略する。
【００９６】
まず、本実施形態に係るプロジェクタ１、システム管理サーバ２の機能構成について、図１１を参照して説明する。図１１は、本実施形態に係るプロジェクタ１及びシステム管理サーバ２の機能構成を模式的に示すブロック図である。
【００９７】
図１１に示すように、本実施形態に係るシステム管理サーバ２は、図６に示した実施の形態１における機能構成の他に、設定情報記憶部２０６を備える。
【００９８】
設定情報記憶部２０６は、本実施形態に係るマルチプロジェクションシステムが個人向け画像を表示するか否かを判定する際の基準となる、投影面６と人物との距離に関する設定値（以下、「距離設定値」とする）を記憶する。
【００９９】
そして、出力データ判断部２０３は、サーバ受信部２０２から入力された人物属性情報をもとに、設定情報記憶部２０６に記憶されている距離設定値を参照して、個人向け画像を表示するか否かを判断し、判断結果をもとに出力態様を決定して出力データ作成部２０４に通知する。
【０１００】
出力データ作成部２０４は、出力データ判断部２０３から通知された出力態様に従って、出力データ記憶部２０１に記憶されている出力データをもとに、プロジェクタ１ａ、１ｂ、１ｃにそれぞれ出力させるべき投影画像及び音声に応じた出力データを作成する。
【０１０１】
次に、本実施形態に係るマルチプロジェクションシステムによる投影面６への投影画像の表示態様について、図１２（ａ）、（ｂ）を参照して説明する。図１２（ａ）、（ｂ）は、本実施形態に係るマルチプロジェクションシステムによる投影面６への投影画像の表示例を示す図である。
【０１０２】
図１２（ａ）に示すように、本実施形態に係るマルチプロジェクションシステムは、投影面６前に人物を検知しているが、検知した人物と投影面６と距離が設定情報記憶部２０６に記憶されている距離設定値を超えている場合、個人向け画像を表示せず、引き続きプロジェクタ１ａ、１ｂ、１ｃの３台で大衆向け画像を表示する。
【０１０３】
そして、図１２（ｂ）に示すように、本実施形態に係るマルチプロジェクションシステムは、検知した人物と投影面６と距離が設定情報記憶部２０６に記憶されている距離設定値以下となった場合、検知した人物に向けて個人向け画像を表示する。
【０１０４】
尚、このとき、図１２（ｂ）に示すように、本実施形態に係るマルチプロジェクションシステムは、他のプロジェクタ１ａ、１ｂを連動させて投影画像を表示することで、それら２台で疑似的に一つの大画面を映し出し、そこに引き続き大衆向け画像を表示する。
【０１０５】
次に、本実施形態に係るマルチプロジェクションシステムが投影面６に投影画像を表示する際の処理について、図１３を参照して説明する。図１３は、本実施形態に係るマルチプロジェクションシステムが投影面６に投影画像を表示する際の処理を説明するためのフローチャートである。
【０１０６】
尚、図１３においては、プロジェクタ１が投影面６前に人物を検知し、人物属性情報をシステム管理サーバ２に送信するまでの処理、即ち、図８におけるＳ８０１〜Ｓ８０９に相当する処理については省略して説明する。また、図１３においては、システム管理サーバ２が作成した出力データを各プロジェクタ１に送信し、各プロジェクタ１が投影画像を表示するまでの処理、即ち、図８におけるＳ８１２〜Ｓ８１５に相当する処理については省略して説明する。
【０１０７】
本実施形態に係るマルチプロジェクションシステムが投影面６に投影画像を表示する際にはまず、出力データ判断部２０３は、サーバ受信部２０２がプロジェクタ１ｃから人物属性情報を受信すると、受信した人物属性情報に基づいて、検知した人物と投影面６との距離を算出する（Ｓ１３０１）。
【０１０８】
そして、出力データ判断部２０３は、検知した人物と投影面６との距離が設定情報記憶部２０６に記憶されている距離設定値以下であるか否かを判定する（Ｓ１３０２）。
【０１０９】
出力データ判断部２０３は、Ｓ１３０２における判定処理において、距離設定値を超えると判定した場合（Ｓ１３０２／ＮＯ）、プロジェクタ１ａ、１ｂ、１ｃ全てに大衆向け画像を表示させるように出力態様を決定し、決定内容を出力データ作成部２０４に通知する（Ｓ１３０３）。
【０１１０】
一方、出力データ判断部２０３は、Ｓ１３０２における判定処理において、距離設定値以下であると判定した場合（Ｓ１３０２／ＹＥＳ）、プロジェクタ１ａ、１ｂに大衆向け画像を表示させると共に、プロジェクタ１ｃに個人向け画像を表示させるように出力態様を決定し、決定内容を出力データ作成部２０４に通知する（Ｓ１３０４）。
【０１１１】
そして、出力データ作成部２０４は、出力データ判断部２０３から通知された出力態様に従って出力データを作成する（Ｓ１３０５）。
【０１１２】
次に、本実施形態に係るマルチプロジェクションシステムにおいて、設定情報記憶部２０６に記憶されている距離設定値をユーザが設定変更するための操作画面（以下、「距離設定値変更画面」とする）について、図１４を参照して説明する図１４は、本実施形態に係るマルチプロジェクションシステムにおける距離設定値変更画面の表示例を示す図である。
【０１１３】
図１４に示すように、本実施形態に係るマルチプロジェクションシステムは、設定情報記憶部２０６に記憶されている距離設定値をユーザが設定変更するための距離設定値変更画面をシステム管理サーバ２の操作表示装置２５０に表示する。
【０１１４】
また、図１４に示すように、距離設定値変更画面には、「近い（大衆向け）」、「遠い（個人向け）」、「距離設定」のいずれかが選択可能なように表示されている。
【０１１５】
そして、本実施形態に係るマルチプロジェクションシステムは、このような距離設定値変更画面において、ユーザが「近い（大衆向け）」を選択した場合、全てのプロジェクタ１による大画面で大衆向け画像を表示する時間が長くすることができるため、多数の視聴者への広告効果を高くすることが可能である。
【０１１６】
一方、本実施形態に係るマルチプロジェクションシステムは、このような距離設定値変更画面において、ユーザが「遠い（個人向け）」を選択した場合、個人向け画像を表示する時間を長くすることができるため、個々の視聴者への広告効果を高くすることができる。
【０１１７】
また、本実施形態に係るマルチプロジェクションシステムは、このような距離設定値変更画面において、ユーザが「距離設定」を選択した場合、ユーザが自由に距離設定値を入力することができるため、個々の視聴者への広告効果と多数の視聴者への広告効果とのバランスをユーザが自由に決定することができる。
【０１１８】
以上、説明したように、本実施形態に係るマルチプロジェクションシステムは、投影面６前に人物を検知した場合であっても、検知した人物と投影面６との距離が所定の距離を超えている場合、大衆向け画像のみを表示するように構成されている。一方で、本実施形態に係るマルチプロジェクションシステムは、検知した人物と投影面６との距離が所定の距離以下である場合、検知した人物に向けて個人向け画像を表示すると共に、残りのプロジェクタにより引き続き大衆向け画像を表示するように構成されている。
【０１１９】
本実施形態に係るマルチプロジェクションシステムは、このように構成されることで、個々の視聴者への広告効果と多数の視聴者への広告効果とを両立させることが可能となる。その結果、本実施形態に係るマルチプロジェクションシステムは、視聴者の状態に応じて画像を表示することで、多種多様な方法で情報を発信することが可能となる。
【０１２０】
また、本実施形態に係るマルチプロジェクションシステムは、上記所定の距離を設定変更することができるように構成されている。本実施形態に係るマルチプロジェクションシステムは、このように構成されることで、個々の視聴者への広告効果と多数の視聴者への広告効果とのどちらを重視するかに応じて上記所定の距離を設定変更することができる。従って、本実施形態に係るマルチプロジェクションシステムは、個々の視聴者への広告効果と多数の視聴者への広告効果とのバランスを自由に決定することができる。
【０１２１】
実施の形態４．
実施の形態１〜３においては、投影面６前に人物を検知すると、投影面６前にいる人物に向けて個人向け画像を表示すると共に、残りのプロジェクタにより引き続き大衆向け画像を表示するように構成されているマルチプロジェクションシステムについて説明した。
【０１２２】
実施の形態１〜３に係るマルチプロジェクションシステムは、このように構成されることで、個々の視聴者にはその視聴者が望む個人向け画像を引き続き視聴させることが可能であると共に、多数の視聴者にも大衆向け画像を引き続き視聴させることが可能である。
【０１２３】
本実施形態に係るマルチプロジェクションシステムは、投影面６前に人物を検知した場合であっても、検知した人物の人数が所定の人数未満である場合、大衆向け画像のみを表示するように構成されている。一方で、本実施形態に係るマルチプロジェクションシステムは、検知した人物の人数が所定の人数以上である場合、視聴者による関心度が高いと判断して、大衆向け画像に表示していた内容をより詳細に表示する投影画像（以下、「詳細画像」とする）に切り替えるように構成されている。
【０１２４】
本実施形態に係るマルチプロジェクションシステムは、このように、検知した人物の人数が所定の人数以上である場合に限り、即ち、視聴者による関心度が高いと判断した場合に限り、大衆向け画像から詳細画像に切り替えるように構成されている。本実施形態に係るマルチプロジェクションシステムは、このように構成されることで、大衆向け画像に関心を示す視聴者への広告効果と多数の視聴者への広告効果とを両立させることが可能となる。
【０１２５】
尚、本実施形態に係るマルチプロジェクションシステムは、上記所定の人数が多く設定された場合、大衆向け画像を表示する時間が長くなるため、多数の視聴者への広告効果を高くすることが可能である。一方、本実施形態に係るマルチプロジェクションシステムは、上記所定の人数が少なく設定された場合、詳細画像を表示する時間が長くなるため、大衆向け画像に関心を示す視聴者への広告効果を高くすることができる。
【０１２６】
そこで、本実施形態に係るマルチプロジェクションシステムは、大衆向け画像に関心を示す視聴者への広告効果と多数の視聴者への広告効果とのどちらを重視するかに応じて、上記所定の人数を設定することができるように構成されている。従って、本実施形態に係るマルチプロジェクションシステムは、大衆向け画像に関心を示す視聴者への広告効果と多数の視聴者への広告効果とのバランスを自由に決定することができる。
【０１２７】
以下、図面を参照して、本発明の実施形態を詳細に説明する。尚、実施の形態１〜３と同様の符号を付す構成については、同一または相当部を示すものとし、詳細な説明を省略する。
【０１２８】
まず、本実施形態に係るプロジェクタ１、システム管理サーバ２の機能構成について、図１１を参照して説明する。図１１に示すように、本実施形態に係るシステム管理サーバ２は、実施の形態３と同様に、図６に示した実施の形態１における機能構成の他に、設定情報記憶部２０６を備える。
【０１２９】
設定情報記憶部２０６は、本実施形態に係るマルチプロジェクションシステムが詳細画像を表示するか否かを判定する際の基準となる、検知した人物の人数に関する設定値（以下、「人数設定値」とする）を記憶する。
【０１３０】
そして、出力データ判断部２０３は、サーバ受信部２０２から入力された人物属性情報をもとに、設定情報記憶部２０６に記憶されている人数設定値を参照して、詳細画像を表示するか否かを判断し、判断結果をもとに出力態様を決定して出力データ作成部２０４に通知する。
【０１３１】
出力データ作成部２０４は、出力データ判断部２０３から通知された出力態様に従って、出力データ記憶部２０１に記憶されている出力データをもとに、プロジェクタ１ａ、１ｂ、１ｃにそれぞれ出力させるべき投影画像及び音声に応じた出力データを作成する。
【０１３２】
次に、本実施形態に係るマルチプロジェクションシステムによる投影面６への投影画像の表示態様について、図１５（ａ）、（ｂ）を参照して説明する。図１５（ａ）、（ｂ）は、本実施形態に係るマルチプロジェクションシステムによる投影面６への投影画像の表示例を示す図である。
【０１３３】
図１５（ａ）に示すように、本実施形態に係るマルチプロジェクションシステムは、投影面６前に人物を検知しているが、検知した人物の人数が設定情報記憶部２０６に記憶されている人数設定値未満である場合、詳細画像を表示せず、引き続き大衆向け画像を表示する。
【０１３４】
そして、図１５（ｂ）に示すように、本実施形態に係るマルチプロジェクションシステムは、検知した人物の人数が設定情報記憶部２０６に記憶されている人数設定値以上となった場合、大衆向け画像から詳細画像に切り替える。
【０１３５】
このとき投影表示される詳細画像は、大衆向け画像に表示していた内容をより詳細に表示するための投影画像であり、大衆向け画像よりも近くで視聴してもらうことを前提としている。そのため、詳細画像は、大衆向け画像よりも文字数が多かったり、文字サイズや図のサイズが小さかったりといったように、大衆向け画像よりも詳細で多くの情報を含む。
【０１３６】
従って、本実施形態に係るマルチプロジェクションシステムは、このような詳細画像を投影表示することにより、大衆向け画像よりも詳細で多くの情報を視聴者に視聴させることができる。
【０１３７】
次に、本実施形態に係るマルチプロジェクションシステムが投影面６に投影画像を表示する際の処理について、図１６を参照して説明する。図１６は、本実施形態に係るマルチプロジェクションシステムが投影面６に投影画像を表示する際の処理を説明するためのフローチャートである。
【０１３８】
尚、図１６においては、プロジェクタ１が投影面６前に人物を検知し、人物属性情報をシステム管理サーバ２に送信するまでの処理、即ち、図８におけるＳ８０１〜Ｓ８０９に相当する処理については省略して説明する。また、図１６においては、システム管理サーバ２が作成した出力データを各プロジェクタ１に送信し、各プロジェクタ１が投影画像を表示するまでの処理、即ち、図８におけるＳ８１２〜Ｓ８１５に相当する処理については省略して説明する。
【０１３９】
本実施形態に係るマルチプロジェクションシステムが投影面６に投影画像を表示する際にはまず、出力データ判断部２０３は、サーバ受信部２０２が各プロジェクタ１から人物属性情報を受信すると、受信した人物属性情報に基づいて、検知した人物の人数を算出する（Ｓ１６０１）。
【０１４０】
そして、出力データ判断部２０３は、検知した人物の人数が設定情報記憶部２０６に記憶されている人数設定値以上であるか否かを判定する（Ｓ１６０２）。
【０１４１】
出力データ判断部２０３は、Ｓ１６０２における判定処理において、人数設定値未満であると判定した場合（Ｓ１６０２／ＮＯ）、各プロジェクタ１に大衆向け画像を表示させるように出力態様を決定し、決定内容を出力データ作成部２０４に通知する（Ｓ１６０３）。
【０１４２】
一方、出力データ判断部２０３は、Ｓ１６０２における判定処理において、人数設定値以上であると判定した場合（Ｓ１６０２／ＹＥＳ）、各プロジェクタ１に詳細画像を表示させるように出力態様を決定し、決定内容を出力データ作成部２０４に通知する（Ｓ１６０４）。
【０１４３】
そして、出力データ作成部２０４は、出力データ判断部２０３から通知された出力態様に従って出力データを作成する（Ｓ１６０５）。
【０１４４】
次に、本実施形態に係るマルチプロジェクションシステムにおいて、設定情報記憶部２０６に記憶されている人数設定値をユーザが設定変更するための操作画面（以下、「人数設定値変更画面」とする）について、図１７を参照して説明する図１７は、本実施形態に係るマルチプロジェクションシステムにおける人数設定値変更画面の表示例を示す図である。
【０１４５】
図１７に示すように、本実施形態に係るマルチプロジェクションシステムは、設定情報記憶部２０６に記憶されている人数設定値をユーザが設定変更するための人数設定値変更画面をシステム管理サーバ２の操作表示装置２５０に表示する。
【０１４６】
また、図１７に示すように、人数設定値変更画面には、「近い（大衆向け）」、「遠い（詳細）」、「距離設定」のいずれかが選択可能なように表示されている。
【０１４７】
そして、本実施形態に係るマルチプロジェクションシステムは、このような人数設定値変更画面において、ユーザが「多い（大衆向け）」を選択した場合、全てのプロジェクタ１による大画面で大衆向け画像を表示する時間が長くすることができるため、多数の視聴者への広告効果を高くすることが可能である。
【０１４８】
一方、本実施形態に係るマルチプロジェクションシステムは、このような人数設定値変更画面において、ユーザが「少ない（詳細）」を選択した場合、詳細画像を表示する時間を長くすることができるため、大衆向け画像に関心を示す視聴者への広告効果を高くすることができる。
【０１４９】
また、本実施形態に係るマルチプロジェクションシステムは、このような人数設定値変更画面において、ユーザが「人数設定」を選択した場合、ユーザが自由に人数設定値を入力することができるため、大衆向け画像に関心を示す視聴者への広告効果と多数の視聴者への広告効果とのバランスをユーザが自由に決定することができる。
【０１５０】
以上、説明したように、本実施形態に係るマルチプロジェクションシステムは、投影面６前に人物を検知した場合であっても、検知した人物の人数が所定の人数未満である場合、大衆向け画像のみを表示するように構成されている。一方で、本実施形態に係るマルチプロジェクションシステムは、検知した人物の人数が所定の人数以上である場合、視聴者による関心度が高いと判断して、大衆向け画像から詳細画像に切り替えるように構成されている。
【０１５１】
本実施形態に係るマルチプロジェクションシステムは、このように、検知した人物の人数が所定の人数以上である場合に限り、即ち、視聴者による関心度が高いと判断した場合に限り、大衆向け画像から詳細画像に切り替えるように構成されている。本実施形態に係るマルチプロジェクションシステムは、このように構成されることで、大衆向け画像に関心を示す視聴者への広告効果と多数の視聴者への広告効果とを両立させることが可能となる。その結果、本実施形態に係るマルチプロジェクションシステムは、視聴者の状態に応じて画像を表示することで、多種多様な方法で情報を発信することが可能となる。
【０１５２】
尚、本実施形態に係るマルチプロジェクションシステムは、上記所定の人数が多く設定された場合、大衆向け画像を表示する時間が長くなるため、多数の視聴者への広告効果を高くすることが可能である。一方、本実施形態に係るマルチプロジェクションシステムは、上記所定の人数が少なく設定された場合、詳細画像を表示する時間が長くなるため、大衆向け画像に関心を示す視聴者への広告効果を高くすることができる。
【０１５３】
そこで、本実施形態に係るマルチプロジェクションシステムは、大衆向け画像に関心を示す視聴者への広告効果と多数の視聴者への広告効果とのどちらを重視するかに応じて、上記所定の人数を設定することができるように構成されている。従って、本実施形態に係るマルチプロジェクションシステムは、大衆向け画像に関心を示す視聴者への広告効果と多数の視聴者への広告効果とのバランスを自由に決定することができる。
【０１５４】
尚、本実施形態に係るマルチプロジェクションシステムは、大衆向け画像から詳細画像に切り替えるように構成されているが、詳細画像の代わりに、大衆向け画像に関連する関連画像に切り替えるように構成されていても良い。
【０１５５】
実施の形態５．
実施の形態１〜３においては、投影面６前に人物を検知すると、投影面６前にいる人物に向けて個人向け画像を表示すると共に、残りのプロジェクタにより引き続き大衆向け画像を表示するように構成されているマルチプロジェクションシステムについて説明した。
【０１５６】
実施の形態１〜３に係るマルチプロジェクションシステムは、このように構成されることで、個々の視聴者にはその視聴者が望む個人向け画像を引き続き視聴させることが可能であると共に、多数の視聴者にも大衆向け画像を引き続き視聴させることが可能である。
【０１５７】
また、実施の形態４においては、投影面６前に所定の人数以上の人物を検知すると、視聴者による関心度が高いと判断して、大衆向け画像から詳細画像に切り替えるように構成されているマルチプロジェクションシステムについて説明した。
【０１５８】
実施の形態４に係るマルチプロジェクションシステムは、このように構成されることで、大衆向け画像に関心を示す視聴者への広告効果と多数の視聴者への広告効果とを両立させることが可能となる。
【０１５９】
本実施形態においては、投影面６前に所定の人数未満の人物しか検知できない場合、大衆向け画像への関心度が低いと判断して、演出を加えて大衆向け画像を投影表示するように構成されているマルチプロジェクションシステムについて説明する。
【０１６０】
本実施形態に係るマルチプロジェクションシステムは、このように構成されることで、大衆向け画像の表示効果を向上させることが可能となり、より多くの視聴者を引き付けることが可能となるため、多数の視聴者への広告効果を向上させることが可能となる。
【０１６１】
以下、図面を参照して、本発明の実施形態を詳細に説明する。尚、実施の形態１〜３と同様の符号を付す構成については、同一または相当部を示すものとし、詳細な説明を省略する。
【０１６２】
まず、本実施形態に係るプロジェクタ１、システム管理サーバ２の機能構成について、図１１を参照して説明する。図１１に示すように、本実施形態に係るシステム管理サーバ２は、実施の形態３、４と同様に、図６に示した実施の形態１における機能構成の他に、設定情報記憶部２０６を備える。
【０１６３】
設定情報記憶部２０６は、本実施形態に係るマルチプロジェクションシステムが大衆向け画像に演出を加えるか否かを判定する際の基準となる、検知した人物の人数に関する設定値（以下、「人数設定値」とする）を記憶する。
【０１６４】
そして、出力データ判断部２０３は、サーバ受信部２０２から入力された人物属性情報をもとに、設定情報記憶部２０６に記憶されている人数設定値を参照して、大衆向け画像に演出を加えるか否かを判断し、判断結果をもとに出力態様を決定して出力データ作成部２０４に通知する。
【０１６５】
出力データ作成部２０４は、出力データ判断部２０３から通知された出力態様に従って、出力データ記憶部２０１に記憶されている出力データをもとに作成した出力データに演出を追加する。以下では、演出が追加された後の出力データを「演出追加データ」とする。
【０１６６】
次に、本実施形態に係るマルチプロジェクションシステムによる投影面６への投影画像の表示態様について、図１８（ａ）〜（ｃ）を参照して説明する。図１８（ａ）〜（ｃ）は、本実施形態に係るマルチプロジェクションシステムによる投影面６への投影画像の表示例を示す図である。
【０１６７】
図１８（ａ）に示すように、本実施形態に係るマルチプロジェクションシステムは、大衆向け画像の表示中、投影面６前に人物を検知しているが、検知した人物の人数が設定情報記憶部２０６に記憶されている人数設定値未満となっている。
【０１６８】
このような場合、図１８（ｂ）に示すように、本実施形態に係るマルチプロジェクションシステムは、画像を右側からスライドインにより表示するといった演出を交えて大衆向け画像を表示する。
【０１６９】
そして、図１８（ｃ）に示すように、本実施形態に係るマルチプロジェクションシステムは、検知した人物の人数が設定情報記憶部２０６に記憶されている人数設定値以上となった場合、演出を中止して通常通りに大衆向け画像を表示する。
【０１７０】
次に、本実施形態に係るマルチプロジェクションシステムによる投影面６への投影画像の他の表示態様について、図１９（ａ）〜（ｃ）を参照して説明する。図１９（ａ）〜（ｃ）は、本実施形態に係るマルチプロジェクションシステムによる投影面６への投影画像の表示例を示す図である。
【０１７１】
図１９（ａ）に示すように、本実施形態に係るマルチプロジェクションシステムは、大衆向け画像の表示中、投影面６前に人物を検知しているが、検知した人物の人数が設定情報記憶部２０６に記憶されている人数設定値未満となっている。
【０１７２】
このような場合、図１９（ｂ）に示すように、本実施形態に係るマルチプロジェクションシステムは、画像の光量を上げて表示するといった演出を交えて大衆向け画像を表示する。
【０１７３】
そして、図１９（ｃ）に示すように、本実施形態に係るマルチプロジェクションシステムは、検知した人物の人数が設定情報記憶部２０６に記憶されている人数設定値以上となった場合、演出を中止して通常通りに大衆向け画像を表示する。
【０１７４】
次に、本実施形態に係るマルチプロジェクションシステムが投影面６に投影画像を表示する際の処理について、図２０を参照して説明する。図２０は、本実施形態に係るマルチプロジェクションシステムが投影面６に投影画像を表示する際の処理を説明するためのフローチャートである。
【０１７５】
尚、図２０においては、プロジェクタ１が投影面６前に人物を検知し、人物属性情報をシステム管理サーバ２に送信するまでの処理、即ち、図８におけるＳ８０１〜Ｓ８０９に相当する処理については省略して説明する。また、図２０においては、システム管理サーバ２が作成した出力データを各プロジェクタ１に送信し、各プロジェクタ１が投影画像を表示するまでの処理、即ち、図８におけるＳ８１２〜Ｓ８１５に相当する処理については省略して説明する。
【０１７６】
本実施形態に係るマルチプロジェクションシステムが投影面６に投影画像を表示する際にはまず、出力データ判断部２０３は、サーバ受信部２０２が各プロジェクタ１から人物属性情報を受信すると、受信した人物属性情報に基づいて、検知した人物の人数を算出する（Ｓ２００１）。
【０１７７】
そして、出力データ判断部２０３は、検知した人物の人数が設定情報記憶部２０６に記憶されている人数設定値未満であるか否かを判定する（Ｓ２００２）。
【０１７８】
出力データ判断部２０３は、Ｓ２００２における判定処理において、人数設定値以上であると判定した場合（Ｓ２００２／ＮＯ）、演出のない通常の大衆向け画像を各プロジェクタ１に表示させるように出力態様を決定し、決定内容を出力データ作成部２０４に通知する（Ｓ２００３）。
【０１７９】
一方、出力データ判断部２０３は、Ｓ２００２における判定処理において、人数設定値未満であると判定した場合（Ｓ２００２／ＹＥＳ）、演出が追加された大衆向け画像を各プロジェクタ１に表示させるように出力態様を決定し、決定内容を出力データ作成部２０４に通知する（Ｓ２００４）。
【０１８０】
そして、出力データ作成部２０４は、出力データ判断部２０３から通知された出力態様に従って出力データを作成する（Ｓ２００５）。
【０１８１】
以上、説明したように、本実施形態に係るマルチプロジェクションシステムは、投影面６前に所定の人数未満の人物しか検知できない場合、大衆向け画像への関心度が低いと判断して、演出を加えて大衆向け画像を投影表示するように構成されている。
【０１８２】
本実施形態に係るマルチプロジェクションシステムは、このように構成されることで、大衆向け画像の表示効果を向上させることが可能となり、より多くの視聴者を引き付けることが可能となるため、多数の視聴者への広告効果を向上させることが可能となる。その結果、本実施形態に係るマルチプロジェクションシステムは、視聴者の状態に応じて画像を表示することで、多種多様な方法で情報を発信することが可能となる。
【０１８３】
実施の形態６．
実施の形態５においては、投影面６前に所定の人数未満の人物しか検知できない場合、大衆向け画像への関心度が低いと判断して、演出を加えて大衆向け画像を投影表示するように構成されているマルチプロジェクションシステムについて説明した。
【０１８４】
実施の形態５に係るマルチプロジェクションシステムは、このように構成されることで、より多くの視聴者を引き付けることが可能となるため、多数の視聴者への広告効果を向上させることが可能となる。
【０１８５】
本実施形態においては、投影面６前に人物を検知しても、検知した人物の顔が投影面６に向いていない場合、大衆向け画像への関心度が低いと判断して、演出を加えて大衆向け画像を投影表示するように構成されているマルチプロジェクションシステムについて説明する。
【０１８６】
本実施形態に係るマルチプロジェクションシステムは、このように構成されることで、大衆向け画像の表示効果を向上させることが可能となり、より多くの視聴者を引き付けることが可能となるため、多数の視聴者への広告効果を向上させることが可能となる。
【０１８７】
まず、本実施形態に係るマルチプロジェクションシステムによる投影面６への投影画像の表示態様について、図２１（ａ）〜（ｃ）を参照して説明する。図２１（ａ）〜（ｃ）は、本実施形態に係るマルチプロジェクションシステムによる投影面６への投影画像の表示例を示す図である。
【０１８８】
図２１（ａ）に示すように、本実施形態に係るマルチプロジェクションシステムは、大衆向け画像の表示中、投影面６前に人物を検知しているが、検知した人物の顔が投影面６を向いていない。
【０１８９】
このような場合、図２１（ｂ）に示すように、本実施形態に係るマルチプロジェクションシステムは、画像を右側からスライドインにより表示するといった演出を交えて大衆向け画像を表示する。
【０１９０】
そして、図２１（ｃ）に示すように、本実施形態に係るマルチプロジェクションシステムは、検知した人物の顔が投影面６を向いた場合、演出を中止して通常通りに大衆向け画像を表示する。
【０１９１】
次に、本実施形態に係るマルチプロジェクションシステムによる投影面６への投影画像の他の表示態様について、図２２（ａ）〜（ｃ）を参照して説明する。図２２（ａ）〜（ｃ）は、本実施形態に係るマルチプロジェクションシステムによる投影面６への投影画像の表示例を示す図である。
【０１９２】
図２２（ａ）に示すように、本実施形態に係るマルチプロジェクションシステムは、大衆向け画像の表示中、投影面６前に人物を検知しているが、検知した人物の顔が投影面６を向いていない。
【０１９３】
このような場合、図２２（ｂ）に示すように、本実施形態に係るマルチプロジェクションシステムは、画像の光量を上げて表示するといった演出を交えて大衆向け画像を表示する。
【０１９４】
そして、図２２（ｃ）に示すように、本実施形態に係るマルチプロジェクションシステムは、検知した人物の顔が投影面６を向いた場合、演出を中止して通常通りに大衆向け画像を表示する。
【０１９５】
次に、本実施形態に係るマルチプロジェクションシステムが投影面６に投影画像を表示する際の処理について、図２３を参照して説明する。図２３は、本実施形態に係るマルチプロジェクションシステムが投影面６に投影画像を表示する際の処理を説明するためのフローチャートである。
【０１９６】
尚、図２３においては、プロジェクタ１が投影面６前に人物を検知し、人物属性情報をシステム管理サーバ２に送信するまでの処理、即ち、図８におけるＳ８０１〜Ｓ８０９に相当する処理については省略して説明する。また、図２３においては、システム管理サーバ２が作成した出力データを各プロジェクタ１に送信し、各プロジェクタ１が投影画像を表示するまでの処理、即ち、図８におけるＳ８１２〜Ｓ８１５に相当する処理については省略して説明する。
【０１９７】
本実施形態に係るマルチプロジェクションシステムが投影面６に投影画像を表示する際にはまず、出力データ判断部２０３は、サーバ受信部２０２が各プロジェクタ１から人物属性情報を受信すると、受信した人物属性情報に基づいて、検知した人物の顔の向きを算出する（Ｓ２３０１）。
【０１９８】
そして、出力データ判断部２０３は、検知した人物の顔が投影面６向いているか否かを判定する（Ｓ２３０２）。
【０１９９】
出力データ判断部２０３は、Ｓ２３０２における判定処理において、検知した人物の顔が投影面６を向いていると判定した場合（Ｓ２３０２／ＮＯ）、演出のない通常の大衆向け画像を各プロジェクタ１に表示させるように出力態様を決定し、決定内容を出力データ作成部２０４に通知する（Ｓ２３０３）。
【０２００】
一方、出力データ判断部２０３は、Ｓ２３０２における判定処理において、検知した人物の顔が投影面６を向いていないと判定した場合（Ｓ２３０２／ＹＥＳ）、演出が追加された大衆向け画像を各プロジェクタ１に表示させるように出力態様を決定し、決定内容を出力データ作成部２０４に通知する（Ｓ２３０４）。
【０２０１】
そして、出力データ作成部２０４は、出力データ判断部２０３から通知された出力態様に従って出力データを作成する（Ｓ２３０５）。
【０２０２】
以上、説明したように、本実施形態に係るマルチプロジェクションシステムは、投影面６前に人物を検知しても、検知した人物の顔が投影面６に向いていない場合、大衆向け画像への関心度が低いと判断して、演出を加えて大衆向け画像を投影表示するように構成されている。
【０２０３】
本実施形態に係るマルチプロジェクションシステムは、このように構成されることで、大衆向け画像の表示効果を向上させることが可能となり、より多くの視聴者を引き付けることが可能となるため、多数の視聴者への広告効果を向上させることが可能となる。その結果、本実施形態に係るマルチプロジェクションシステムは、視聴者の状態に応じて画像を表示することで、多種多様な方法で情報を発信することが可能となる。
【符号の説明】
【０２０４】
１  プロジェクタ
１ａ  プロジェクタ
１ｂ  プロジェクタ
１ｃ  プロジェクタ
２  システム管理サーバ２
１０１  プロジェクタ受信部
１０２  出力部
１０３  人物検知部
１０４  プロジェクタ送信部
１１０  ＣＰＵ
１２０  ＲＡＭ
１３０  ＲＯＭ
１４０  ＨＤＤ
１５０  操作表示装置
１６０  通信Ｉ／Ｆ
１７０  出力装置
１７１  画像投影装置
１７２  音声出力装置
１８０  入力装置
１９０  バス
２０１  出力データ記憶部
２０２  サーバ受信部
２０３  出力データ判断部
２０４  出力データ作成部
２０５  サーバ送信部
２０６  設定情報記憶部
２１０  ＣＰＵ
２２０  ＲＡＭ
２３０  ＲＯＭ
２４０  ＨＤＤ
２５０  操作表示装置
２６０  通信Ｉ／Ｆ
２７０  バス
【先行技術文献】
【特許文献】
【０２０５】
【特許文献１】特開平１０−３０１２０２号公報
【図１】
2016148776.tif 000003
【図２】
2016148776.tif 000004
【図３】
2016148776.tif 000005
【図４】
2016148776.tif 000006
【図５】
2016148776.tif 000007
【図６】
2016148776.tif 000008
【図７】
2016148776.tif 000009
【図８】
2016148776.tif 000010
【図９】
2016148776.tif 000011
【図１０】
2016148776.tif 000012
【図１１】
2016148776.tif 000013
【図１２】
2016148776.tif 000014
【図１３】
2016148776.tif 000015
【図１４】
2016148776.tif 000016
【図１５】
2016148776.tif 000017
【図１６】
2016148776.tif 000018
【図１７】
2016148776.tif 000019
【図１８】
2016148776.tif 000020
【図１９】
2016148776.tif 000021
【図２０】
2016148776.tif 000022
【図２１】
2016148776.tif 000023
【図２２】
2016148776.tif 000024
【図２３】
2016148776.tif 000025